(57)【特許請求の範囲】
【請求項１】
複数の設備機器（３）の管理を行う設備機器管理システムにおいて、表示画面（６）を介して前記複数の設備機器（３）の動作スケジュールを同時表示させるスケジュール表示方法（１２）であって、
同じ時間に２以上の設備機器（３）の動作スケジュールが重なっていない場合に、その時間に対応する表示画面（６）の一部（６１）に対して、動作スケジュールの動作の内容に対して決められている動作対応標示によって動作スケジュールを表示させる第１ステップと、
同じ時間に２以上の設備機器（３）の動作スケジュールが重なっている場合に、それぞれの動作スケジュールの動作の内容が異なる種類のものであるときに、その時間に対応する表示画面（６）の一部（６１）に対して、異なる種類の動作の内容を持つ２以上の動作スケジュールが重なっていることを識別するための異種類動作重複標示によって動作スケジュールを表示させる第２ステップと、
同じ時間に２以上の設備機器（３）の動作スケジュールが重なっている場合に、それぞれの動作スケジュールの動作の内容が同じ種類のものであるときに、その時間に対応する表示画面（６）の一部（６１）に対して、前記動作対応標示によって動作スケジュールを表示させる第３ステップと、
を備えた、
スケジュール表示方法（１２）。
【請求項２】
曜日あるいは所定の単位に分けて管理された前記複数の設備機器（３）の動作スケジュールを、その曜日あるいはその所定の単位に対応する表示画面（６）の一部（６１）に対して表示させる第４ステップ、
をさらに備えた、
請求項１に記載のスケジュール表示方法（１２）。
【請求項３】
請求項１又は２に記載のスケジュール表示方法（１２）により前記複数の設備機器（３）の動作スケジュールを前記表示画面（６）に表示させるコンピュータプログラム（１１）を有する情報端末（１）と、
前記情報端末（１）において設定された前記動作スケジュールにしたがって前記複数の設備機器（３）の動作制御を行う制御装置（２）と、
を備えた、
設備機器管理システム。
【発明の詳細な説明】
【０００１】
【発明の属する技術分野】
本発明は、スケジュール表示方法、特に複数の設備機器の管理を行う設備機器管理システムにおけるスケジュール表示方法に関する。
【０００２】
【従来の技術】
複数の設備機器の管理を行う設備機器管理システムにおいて、設備機器の動作スケジュールを設定して管理を行うことができるシステムがある。動作スケジュールは、一般に、設備機器の名称と、動作の時刻と、動作の内容とを含んでいる。このような動作スケジュールを設定して管理を行うことができる設備機器管理システムでは、設定された動作スケジュールを表示画面を介して表示させている。スケジュール表示方法としては、設定された動作スケジュールの時刻に対応する表示画面の一部に対して、動作スケジュールの動作の内容に対して決められている色を表示する事により、動作スケジュールを表示する方法がある。
【０００３】
【発明が解決しようとする課題】
この従来のスケジュール表示方法では、同じ時間帯に２以上の設備機器の動作スケジュールが重なっている場合、動作スケジュールが重なっていることを示す色がその時間帯を示す表示画面の一部に表示される。このため、同じ時間帯に２以上の動作スケジュールが設定されている場合には、ユーザは、表示画面を一見しただけではその動作スケジュールの動作の内容を全く知ることができない。例えば、同じ時間帯に同じ動作の内容で２以上の設備機器の動作スケジュールが重なっていても、動作スケジュールが重なっていることを示す色が表示される。その結果、ユーザは、動作スケジュールの設定作業等において、動作スケジュールに設定されている動作の内容を確認するためには、その動作スケジュールに関しての詳細な設定等を参照する必要がある。このため、ユーザの負担が大きくなっている。
【０００４】
そこで、本発明においては、設備機器管理システムにおいて設定された動作スケジュールの確認に際して、ユーザの負担を軽減するスケジュール表示方法および設備機器管理システムを提供することを課題とする。
【０００５】
【課題を解決するための手段】
請求項１にかかるスケジュール表示方法は、複数の設備機器の管理を行う設備機器管理システムにおいて、表示画面を介して複数の設備機器の動作スケジュールを同時表示させるスケジュール表示方法であって、第１ステップと、第２ステップと、第３ステップとを備えている。第１ステップは、同じ時間に２以上の設備機器の動作スケジュールが重なっていない場合に、その時間に対応する表示画面の一部に対して、動作対応標示によって動作スケジュールを表示させる。動作対応標示とは、例えば、動作スケジュールの動作の内容に対して決められている色、文字あるいは記号などである。第２ステップは、同じ時間に２以上の設備機器の動作スケジュールが重なっている場合に、それぞれの動作スケジュールの動作の内容が異なる種類のものであるときに、その時間に対応する表示画面の一部に対して、異種類動作重複標示によって動作スケジュールを表示させる。異種類動作重複標示とは、例えば、異なる種類の動作の内容を持つ２以上の動作スケジュールが重なっていることを識別するための色、文字あるいは記号などである。第３ステップは、同じ時間に２以上の設備機器の動作スケジュールが重なっている場合に、それぞれの動作スケジュールの動作の内容が同じ種類のものであるときに、その時間に対応する表示画面の一部に対して、動作対応標示によって動作スケジュールを表示させる。
【０００６】
このスケジュール表示方法を用いる事で、同じ動作の内容を持つ複数の動作スケジュールが同じ時間帯に設定されている場合、ユーザは、表示画面を一見して、設定されている動作スケジュールの動作の内容を知る事ができる。これにより、ユーザは、設定されている動作スケジュールの動作の内容を知るために動作スケジュールの詳細な設定等を参照する必要がなくなる。その結果、設定されている動作スケジュールの確認に際してのユーザの負担は、軽減されることとなる。これはまた、ユーザのエンジニアリングミスを防止することにもつながる。
【０００７】
請求項２に記載のスケジュール表示方法は、請求項１に記載のスケジュール表示方法であって、さらに第４ステップを備えている。第４ステップは、曜日あるいは所定の単位に分けて管理された複数の設備機器の動作スケジュールを、その曜日あるいはその所定の単位に対応する表示画面の一部に対して表示させる。
このスケジュール表示方法を用いる事で、例えば、曜日等に分けて設定された動作スケジュールを、一覧として表示する事ができる。そのため、ユーザは、他の日に設定されている動作スケジュールと比較しながら、動作スケジュールの確認をする事ができる。これにより、数日にわたり同じ時間帯に同じ動作の内容を持つ動作スケジュールを設定するような場合に、ユーザが動作の内容を誤って設定していたとしても、表示画面を一見して誤りに気づくことができる。これにより、設定されている動作スケジュールの確認に際してのユーザの負担は、軽減されることとなる。これはまた、ユーザのエンジニアリングミスを防止することにもつながる。
【０００８】
請求項３に記載の設備機器管理システムは、情報端末と、制御装置とを備えている。情報端末は、請求項１又は２に記載のスケジュール表示方法により複数の設備機器の動作スケジュールを表示画面に表示させるコンピュータプログラムを有している。制御装置は、情報端末において設定された動作スケジュールにしたがって複数の設備機器の動作制御を行う。
【０００９】
この設備機器管理システムにより、設定されている動作スケジュールの確認に際してのユーザの負担は、軽減されることとなる。これはまた、ユーザのエンジニアリングミスを防止する効果にもつながり、安定的な設備管理を実現する事ができる。
【００１０】
【発明の実施の形態】
〈システムの構成〉
本発明の一実施形態にかかる設備機器管理システムを、図１に示す。この設備機器管理システムは、ビル等に設置される複数の設備機器３の監視・制御をするシステムであり、それぞれの設備機器３の状態監視、発停制御、動作設定等をシステムのユーザからの要求によりあるいは動作スケジュール等により実行するシステムである。システムは、情報端末１と、情報端末１に接続されるステーション２と、ステーション２に接続される複数の設備機器３とから構成される。
【００１１】
情報端末１は、本発明のスケジュール表示ルーチン１２により設備機器３の動作スケジュールを表示させる画面表示プログラム１１を有している。情報端末１は、ステーション２に対して設備機器３の制御の要求をしたり、ステーション２の有する監視制御プログラム２１を設定したりする。また、画面表示プログラム１１により、情報端末１は、ステーション２から得た設備機器３の監視・制御の結果の表示やステーション２の有する監視制御プログラム２１の設定状態の表示をする。ここで、情報端末１とは、例えばコンピュータ、携帯コンピュータ、パネルコンピュータ等である。
【００１２】
ステーション２は、複数の設備機器３を監視・制御する監視制御プログラム２１を有しており、それぞれの設備機器３の状態監視、発停制御、動作設定等を情報端末１からの要求によりあるいは動作スケジュール等にしたがって自動的に実行する。また、その監視・制御の結果を情報端末１に通知する。
設備機器３は、例えば、空調設備、電気設備、照明設備、あるいは防災・防犯設備などに備えられる機器である。具体的には、例えば、空気調和機の室内機、空気調和機の室外機、換気装置、電気機器、照明機器あるいは電気・ガス・水道などの使用量測定装置などである。
【００１３】
〈動作スケジュールの設定〉
ユーザは、情報端末１からこの設備機器管理システムに接続される設備機器３の一例である空気調和機の室内機３１等に対して動作スケジュールを設定し、所望の時刻に所望の動作の内容で室内機３１等を動作させることができる。図２、図３および図４は、室内機３１等の動作スケジュールの設定時に情報端末１に表示される画面である。
【００１４】
〈メイン画面５の構成〉
図２は、動作スケジュールの設定のメイン画面５である。メイン画面５は、スケジュールプログラム一覧５１と、編集ボタン一覧５２と、有効無効選択ボタン５３とから構成されている。スケジュールプログラム一覧５１は、この設備機器管理システムに登録されているスケジュールプログラムを表示している。スケジュールプログラムとは、カレンダーデータと曜日等に分けて設定された室内機３１等の動作スケジュールとを関連づけているプログラムである。この設備機器管理システムでは、複数のスケジュールプログラムを有することができる。編集ボタン一覧５２は、スケジュールプログラムの作成や削除等の編集動作を行うボタンである。有効無効選択ボタン５３は、登録したスケジュールプログラムを有効にしておくか無効にしておくかを選択するボタンである。スケジュールプログラムの編集の際には、スケジュールプログラムを無効にしてから編集する。
【００１５】
スケジュールプログラム一覧５１より編集するプログラムを選択し、編集ボタン一覧５２から編集項目を選択すると、図３に示すスケジュール表示画面６が開かれる。
〈スケジュール表示画面６の構成〉
スケジュール表示画面６は、週間スケジュール表示部６１と、カレンダー表示部６２と、画面遷移ボタン６３とから構成されている。週間スケジュール表示部６１は、平日、休日および特日に分けて設定された室内機３１等の動作スケジュールを表示している。ここで、平日とは、休日および特日として設定された日以外の日であり、７曜に分かれている（図３参照）。休日とは、例えば、国民の祝日等といった日である。また、特日とは、ユーザが特別に設定する日等である。週間スケジュール表示部では、１日を１５分毎の時間帯に区分し、それぞれの時間帯に設定された動作スケジュールがあれば、その時間帯に対応する部分に、設定された動作の内容を示す色を表示して、動作スケジュールを表示する。動作の内容と色との対照表６１ａは、週間スケジュール表示部６１において表示されている。カレンダー表示部６２では、ユーザは平日、休日および特日をカレンダー上に設定できる。この設定により、スケジュールプログラムは、平日、休日および特日の別を判断して、その日に動作させるべき動作スケジュールを判断する。画面遷移ボタン６３は、ＯＫボタンとキャンセルボタンとを有する。ＯＫボタンが押下されると、スケジュール表示画面６で行われた設定変更を保持してメイン画面５に遷移する。キャンセルボタンが押下されると、スケジュール表示画面６で行われた設定変更を破棄してメイン画面５に遷移する。
【００１６】
平日、休日あるいは特日の動作スケジュールを設定あるいは変更する際には、ユーザは、週間スケジュール表示部６１にて動作スケジュールを設定あるいは変更する日を選択し、図４に示すスケジュール設定画面７を表示させる。ユーザは、そのスケジュール設定画面７上にて動作スケジュールの設定あるいは変更を行う。
【００１７】
〈スケジュール設定画面７の構成〉
スケジュール設定画面７は、設備機器選択部７１と、動作スケジュール一覧７２と、時刻設定部７３と、アクション設定部７４と、画面遷移ボタン７５とから構成される。設備機器選択部７１は、設備機器管理システムに接続されている設備機器３の室内機３１等のリストや数台の室内機３１等からなるグループのリストを表示している。動作スケジュール一覧７２は、このスケジュールプログラムに設定されている動作スケジュールを表示している。一つの動作スケジュールは、時刻と、室内機３１等の名称と、動作の内容とを含んでいる。時刻設定部７３は、動作スケジュール設定の際に、動作スケジュールの時刻を設定させる部分である。動作スケジュール一覧７２で動作スケジュールが選択されると、その動作スケジュールに設定されている時刻が時刻設定部７３に表示される。ユーザは、その表示された時刻を時刻設定部７３の上下ボタンにて変更することができる。アクション設定部７４は、動作スケジュール設定の際に、動作スケジュールの動作の内容を設定させる部分である。動作スケジュール一覧７２で動作スケジュールが選択されると、その動作スケジュールに設定されている動作の内容がアクション設定部７４に表示される。ユーザは、その表示された動作の内容をアクション設定部７４のチェックボタンにて変更することができる。ユーザが設定できる室内機３１等の動作の内容には、例えば、室内機３１等の運転・停止等の発停動作の設定、送風・冷房・暖房等の運転モードの設定、運転温度の設定等がある。さらに、電圧等の値を指定して動作を制御できる室内機３１等に対しては、そのアナログ値を設定できる。また、リモコンを備える室内機３１等に対しては、そのリモコンからの操作の許可・禁止を設定することができる。画面遷移ボタン７５は、ＯＫボタンとキャンセルボタンとを有する。ＯＫボタンが押下されると、スケジュール設定画面７で行われた設定変更を保持してスケジュール表示画面６に遷移する。キャンセルボタンが押下されると、スケジュール設定画面７で行われた設定変更を破棄してスケジュール表示画面６に遷移する。
【００１８】
〈スケジュール表示ルーチン１２の作用〉
本発明のスケジュール表示ルーチン１２は、画面表示プログラム１１のルーチンの一つであり、スケジュール設定画面７で設定された動作スケジュールを、スケジュール表示画面６の週間スケジュール表示部６１に一覧表示させる。このスケジュール表示ルーチン１２の作用について具体例を用いて説明する。
【００１９】
図４に示すスケジュール設定画面７は、あるスケジュールプログラムの日曜日に設定された動作スケジュールを表示している（図４参照）。ここで、動作スケジュール一覧７２は、７つの動作スケジュールが設定されていることを示している。
動作スケジュール一覧７２において、時刻［０６時００分］には、［停止］という動作の内容で、１つの動作スケジュールが設定されている。これに対して、スケジュール表示ルーチン１２は、週間スケジュール表示部６１の日曜日の［０６時００分］に対応する部分に、［停止］を示す色を配置する（図３の位置１００ａ参照）ことで、この動作スケジュールを表示する。
【００２０】
動作スケジュール一覧７２において、時刻［０８時００分］には、［運転］という同一の動作の内容で、３つの動作スケジュールが設定されている。これに対して、スケジュール表示ルーチン１２は、週間スケジュール表示部６１の日曜日の［０８時００分］に対応する部分に、［運転］を示す色を配置する（図３の位置１００ｂ参照）ことで、この動作スケジュールを表示する。
【００２１】
動作スケジュール一覧７２において、時刻［２０時００分］には、［送風］という動作の内容で、１つの動作スケジュールが設定されている。さらに、［停止］という動作の内容で、２つの動作スケジュールが設定されている。これに対して、スケジュール表示ルーチン１２は、週間スケジュール表示部６１の日曜日の［２０時００分］に対応する部分に、動作が重複していることを示す色を配置する（図３の位置１００ｃ参照）ことで、この動作スケジュールを表示する。動作が重複していることを示す色とは、週間スケジュール表示部６１の動作の内容と色との対照表６１ａにおいて、［混合］として示されている色のことである。
【００２２】
〈スケジュール表示ルーチン１２の効果〉
画面表示プログラム１１にスケジュール表示ルーチン１２を組み込んでいることで、同じ動作の内容を持つ複数の動作スケジュールが同じ時間帯に設定されている場合、ユーザは、スケジュール表示画面６を一見して、設定されている動作スケジュールの動作の内容を知る事ができる。これにより、ユーザは、設定されている動作スケジュールの動作の内容を知るために、スケジュール設定画面７を開いて確認する必要がなくなる。その結果、設定されている動作スケジュールの確認に際してのユーザの負担は、軽減されることとなる。これはまた、ユーザのエンジニアリングミスを防止することにもつながる。
【００２３】
また、このスケジュール表示ルーチン１２を用いることで、曜日等に分けて設定された動作スケジュールを一覧として表示する事ができる。そのため、ユーザは、他の日に設定されている動作スケジュールと比較しながら、動作スケジュールの確認をする事ができる。これにより、数日にわたり同じ時間帯に同じ動作の内容を持つ動作スケジュールを設定するような場合に、ユーザが動作の内容を誤って設定していたとしても、スケジュール表示画面６を一見して誤りに気づくことができる。これにより、ユーザは、設定されている動作スケジュールの動作の内容を知るために、スケジュール設定画面７を開いて確認する必要がなくなる。その結果、設定されている動作スケジュールの確認に際してのユーザの負担は、軽減されることとなる。これはまた、ユーザのエンジニアリングミスを防止することにもつながる。
【００２４】
さらに、情報端末１にスケジュール表示ルーチン１２を含む画面表示プログラム１１を組み込ませた図１の設備機器管理システムにおいては、ユーザの負担の軽減およびユーザのエンジニアリングミスの防止が実現されることにより、安定的な設備管理が実現される。
なお、本実施形態では、色による動作スケジュールの動作の内容の表示について説明したが、他の実施形態として、文字や記号により動作スケジュールの動作のを表示することも可能である。
【００２５】
〈有効無効選択ボタン５３〉
設定された動作スケジュールをスケジュール表示画面６で確認した後、画面遷移ボタン６３のＯＫボタンを押下すると、メイン画面５に遷移する。このとき、メッセージが表示され、設定したスケジュールプログラムを動作させるにはスケジュールプログラムを有効にするよう促す。ユーザは、設定したスケジュールプログラムを有効にする場合は、メイン画面５の有効無効選択ボタン５３を操作して、スケジュールプログラムを有効にする。
【００２６】
このメッセージ表示により、有効にする必要のあるスケジュールプログラムを無効のままにしておくことを防止できる。
〈カレンダー表示部６２〉
スケジュール表示画面６のカレンダー表示部６２について説明を加える。カレンダー表示部６２では、ユーザは、平日、休日および特日をカレンダー上に設定できる。この設定により、スケジュールプログラムは、平日、休日および特日の別を判断して、その日に動作させるべき動作スケジュールを判断する。この設備機器管理システムは、現在月を含む１３ヶ月分のカレンダーを持つ。月替りの際に、新しく現在月となるカレンダーの設定を、１年後の同月の設定としてローテーションする。そのため、現在月についてカレンダーを編集した場合、その設定は、月替わりで破棄される。これにより、現在月に例年とは違ったカレンダーを急遽する設定することになった場合等に、そのカレンダーが誤って次の年に反映されることを防ぐことができる。
【００２７】
また、カレンダー表示部６２では、カレンダーコピーとカレンダー更新月の設定とをすることができる。
カレンダーコピーとは、スケジュールプログラムにカレンダーを設定する際に、ベースとなるカレンダーの中から目的に合ったものを選択し、そのカレンダーの設定をスケジュールプログラムに読み込む機能である。これにより、ユーザは、カレンダーを最初から設定する必要なく、ベースとなるカレンダーを読み込み、そのカレンダーをカスタマイズして使うことができる。これにより、カレンダーの設定作業が軽減される。このときベースとなるカレンダーの範囲とスケジュールプログラムのカレンダーの範囲とが異なると、それらの重なる範囲だけがコピーされる。また、コピーの際には、現在月にはベースカレンダーをコピーしない等、現在動作しているスケジュールを保護するようになっている。また、スケジュールプログラムに設定されているカレンダーをクリアすることもできる。
【００２８】
カレンダー更新月の設定とは、スケジュールプログラムに設定されているカレンダーの設定の更新をする月を設定することである。このカレンダー更新月の設定をしておけば、カレンダー更新月になるとユーザへの警告が行われる。このカレンダーの更新月は、手動によりあるいは自動により設定される。手動により設定する際には、翌日以降の１２ヶ月のなかから更新月を選択して設定する。自動により設定されるのは、例えば、カレンダーコピーが行われた場合等である。その場合には、そのコピーされたカレンダーの範囲の最終月が更新月として自動的に設定される。また、更新月を「無し」として設定し、ユーザへの警告を行わない設定とすることもできる。
【００２９】
【発明の効果】
請求項１にかかる発明では、同じ動作の内容を持つ複数の動作スケジュールが同じ時間帯に設定されている場合、ユーザは、表示画面を一見して、設定されている動作スケジュールの動作の内容を知る事ができる。これにより、ユーザは、設定されている動作スケジュールの動作の内容を知るために動作スケジュールの詳細な設定等を参照する必要がなくなる。その結果、設定されている動作スケジュールの確認に際してのユーザの負担は、軽減されることとなる。これはまた、ユーザのエンジニアリングミスを防止することにもつながる。
【００３０】
請求項２にかかる発明では、曜日等に分けて設定された動作スケジュールを一覧として表示する事ができる。そのため、ユーザは、他の日に設定されている動作スケジュールと比較しながら、動作スケジュールの確認をする事ができる。これにより、数日にわたり同じ時間帯に同じ動作の内容を持つ動作スケジュールを設定するような場合に、ユーザが動作の内容を誤って設定していたとしても、表示画面を一見して誤りに気づくことができる。これにより、設定されている動作スケジュールの確認に際してのユーザの負担は、軽減されることとなる。これはまた、ユーザのエンジニアリングミスを防止することにもつながる。
【００３１】
請求項３にかかる発明では、設定されている動作スケジュールの確認に際してのユーザの負担は、軽減される。これはまた、ユーザのエンジニアリングミスを防止する効果にもつながり、安定的な設備管理を実現する事ができる。
【図面の簡単な説明】
【図１】本発明の一実施形態にかかるシステムの構成図。
【図２】動作スケジュール設定のメイン画面。
【図３】スケジュール表示画面。
【図４】スケジュール設定画面。
【符号の説明】
１    情報端末
２    ステーション
３    設備機器
６    スケジュール表示画面
１１    画面表示プログラム
１２    スケジュール表示ルーチン
６１    週間スケジュール表示部
【図１】
0003731119.tif 000002
【図２】
0003731119.tif 000003
【図３】
0003731119.tif 000004
【図４】
0003731119.tif 000005